(57)【特許請求の範囲】
【請求項１】
原稿読取部と、記録部と、前記記録部に用紙を供給する給紙部と、電話回線のためのＮＣＵ基板とを備えてなるファクシミリ装置において、その本体ケース内にて底カバー上に電源基板を寝かせて配置する一方、本体ケースの縦方向の壁面に穿設された通気孔に部品面を対面させて立設すべきＮＣＵ基板を、前記電源基板からの放熱を遮断するように配置した金属製の支持板に取付け、且つ前記ＮＣＵ基板が前記支持板を介して接地されていることを特徴とするファクシミリ装置。
【請求項２】
本体ケースの後面の一部に窓孔を穿設し、該窓孔をサブカバーにて開閉可能に構成する一方、前記底カバーの上面には、前記窓孔に近い部位に制御基板を固定し、前記窓孔の側方の本体ケースの後面とほぼ平行状に前記ＮＣＵ基板を前記支持板を介して立設させたことを特徴とする請求項１に記載のファクシミリ装置。
【請求項３】
前記本体ケース内に、冷却用フアンを備え、
前記通気孔から吸い込まれた冷却空気は、前記ＮＣＵ基板、制御基板、前記電源基板の表面個所を通過して、前記冷却用フアンにて前記本体ケースの外に放出されるように構成したことを特徴とする請求項１または２に記載のファクシミリ装置。
【請求項４】
原稿読取部と、記録部と、前記記録部に用紙を供給する給紙部と、電話回線のためのＮＣＵ基板とを備えてなるファクシミリ装置において、その本体ケース内にて底カバー上に電源基板を寝かせて配置する一方、本体ケースの縦方向の壁面に穿設された通気孔に部品面を対面させて立設すべきＮＣＵ基板を、前記電源基板からの放熱を遮断するように配置した支持板に取付け、
前記本体ケース内に、冷却用フアンを備え、
前記通気孔から吸い込まれた冷却空気は、前記ＮＣＵ基板、制御基板、前記電源基板の表面個所を通過して、前記冷却用フアンにて前記本体ケースの外に放出されるように構成したことを特徴とするファクシミリ装置。
【発明の詳細な説明】
【０００１】
【発明の属する技術分野】
本発明は、ファクシミリ装置に係り、より詳しくは、電話回線のためのＮＣＵ（ネットワーク  コントロール  ユニット）基板の配置構造に関するものである。
【０００２】
【従来の技術】
従来から、ファクシミリ装置には、原稿読取部と、他のファクシミリ装置から送られてきたファクシミリデータを用紙に記録するための記録部と、前記記録部に用紙を供給する給紙部と、他のファクシミリ装置と電話回線を介して通信するためのＮＣＵ基板とを備えているのが通常である。そして、特開平１０−２０７３８号公報等に開示されているように、本体ケースの底側に、制御基板、低圧電源基板、ＮＣＵ基板等を配置することが開示されている。この場合、全ての基板を本体ケースの底面を覆うための底カバーとほぼ平行状に寝かせて配置すると、必要面積が大きくなり、ファクシミリ装置の小型化が図れないという不都合や、モジュラージャックとの接続のためのコネクタの配置関係等から、ＮＣＵ基板を立てた状態にして固定するものがあった。
【０００３】
【発明が解決しようとする課題】
しかしながら、低圧電源基板では他の回路基板に比べて発熱量が大きいから、その近くの上側にＮＣＵ基板を配置すると、前記の熱により、ＮＣＵ基板上の電子部品が劣化し易くなるので、その対策として、耐熱性を有する高価な電子部品を使用することになり、製造コストが高くなるという問題があった。
【０００４】
また、前記底カバーの端部を上方向に折り曲げて本体ケースの内面に沿わせるようにした上向き片に前記ＮＣＵ基板をその部品面が本体ケースの内側に向くように固定した場合には、本体ケースの縦壁面に通気孔を穿設しても、前記上向き片が邪魔になり、ＮＣＵ基板の部品部分の冷却効果がきわめて悪いという問題があった。
【０００５】
本発明は、これらの問題を解決するためになされたものであり、ＮＣＵ基板の部品に対する冷却効果が高いファクシミリ装置を提供することを目的とするものである。
【０００６】
【課題を解決するための手段】
この目的を達成するため、請求項１に記載した発明のファクシミリ装置は、原稿読取部と、記録部と、前記記録部に用紙を供給する給紙部と、電話回線のためのＮＣＵ基板とを備えてなるファクシミリ装置において、その本体ケース内にて底カバー上に電源基板を寝かせて配置する一方、本体ケースの縦方向の壁面に穿設された通気孔に部品面を対面させて立設すべきＮＣＵ基板を、前記電源基板からの放熱を遮断するように配置した金属製の支持板に取付け、且つ前記ＮＣＵ基板が前記支持板を介して接地されているものである。
【０００７】
また、請求項２に記載の発明のファクシミリ装置は、請求項１に記載のファクシミリ装置において、本体ケースの後面の一部に窓孔を穿設し、該窓孔をサブカバーにて開閉可能に構成する一方、前記底カバーの上面には、前記窓孔に近い部位に制御基板を固定し、前記窓孔の側方の本体ケースの後面とほぼ平行状に前記ＮＣＵ基板を前記支持板を介して立設させたものである。
そして、請求項３に記載の発明のファクシミリ装置は、請求項１または請求項２に記載のファクシミリ装置において、前記本体ケース内に、冷却用フアンを備え、
前記通気孔から吸い込まれた冷却空気は、前記ＮＣＵ基板、制御基板、前記電源基板の表面個所を通過して、前記冷却用フアンにて前記本体ケースの外に放出されるように構成したものである。
請求項４に記載の発明のファクシミリ装置は、原稿読取部と、記録部と、前記記録部に用紙を供給する給紙部と、電話回線のためのＮＣＵ基板とを備えてなるファクシミリ装置において、その本体ケース内にて底カバー上に電源基板を寝かせて配置する一方、本体ケースの縦方向の壁面に穿設された通気孔に部品面を対面させて立設すべきＮＣＵ基板を、前記電源基板からの放熱を遮断するように配置した支持板に取付け、前記本体ケース内に、冷却用フアンを備え、前記通気孔から吸い込まれた冷却空気は、前記ＮＣＵ基板、制御基板、前記電源基板の表面個所を通過して、前記冷却用フアンにて前記本体ケースの外に放出されるように構成したものである。
【０００８】
【発明の実施の形態】
次に、本発明を具体化した実施形態を図面に基づいて説明する。図１は本発明を適用する電子機器の一例としてのファクシミリ装置の主要構成部品の斜視図、図２はファクシミリ装置の概略側断面図、図３はファクシミリ装置の一部切欠き平面図、図４は本体ケース内の制御基板、ＮＣＵ基板、冷却用フアン、スピーカ等の配置を示す平面図、図７はＮＣＵ基板の装着状態を示す側断面図である。
【０００９】
ファクシミリ装置１の本体ケースは、図１に示すように、スキャナユニット２、プロセスユニット３及び定着ユニット４からなる記録部としての記録ユニットと、画像を形成するための用紙Ｐを供給するための給紙部としての給紙ユニット５とを上側から装着する合成樹脂製のメイン下ケース１ａと、該メイン下ケース１ａの上側を覆い、前方を大きく上下回動できるように、メイン下ケース１ａの側部後部位に枢着された合成樹脂製の上ケース１ｂとからなり、該上ケース１ｂの上面には、原稿読取部としての原稿読取ユニット６及び原稿送り台７を載置でき、原稿読取りユニット６の上側を、操作パネル８にて着脱自在に覆うように構成されている。
【００１０】
そして、プロセスユニット３、定着ユニット４及び、給紙ユニット５に動力伝達するための駆動モータとギヤ列とを含む駆動系ユニット９は、メイン下ケース１ａの左側の収納凹所（図示せず）内に装着固定される。
そして、メイン下ケース１ａの後面部の一側（実施例では右寄り部位）には、図２、図４、図６（ａ）、図６（ｂ）及び図８に示すように、当該メイン下ケース１ａの後面壁１ｃ下端縁から適宜上下寸法の下連設片部１ｄより上側にて後面と上面にわたって窓孔５９が穿設されている。この窓孔５９を側面視逆Ｌ字状のサブカバー６２にて着脱自在に開口できるように構成されている。
【００１１】
さらに、前記メイン下ケース１ａの下面を覆う金属板製の底カバー１０の上側には、制御基板１１、低圧電源基板１２、高圧電源基板１３、電話回線を介して他の電話装置やファクシミリ装置との間で会話やファクシミリデータの送受信を可能にするためのＮＣＵ（ネットワークコントロールユニット）基板１４等が配置されている。即ち、図４に示すように、平面視において、底カバー１０の上面には、その前側右寄り部位にプロセスユニット３の帯電器２８等に対する高圧電源基板１３が配置されている。
【００１２】
そして、図２、図７及び図８に示すように、前記給紙ユニット５の下端部が載置されるメイン下ケース１ａの上面壁１ｅと後面壁１ｃとプロセスユニット３の後端に対面する仕切り壁面１ｆと前記底カバー１０とで囲まれる空間を、前記制御基板１１、低圧電源基板１２、ＮＣＵ基板１４及び、増設用の電子部品としての増設ＲＡＭ（随時読み書き可能メモリ）ボード６０やＬＡＮ（ローカル  エリア  ネットワーク）ボード６１等のオプショナルボード収納できる収納空間７８とする。なお、底カバー１０の上面のうち、前記窓孔５９に近い部位（実施例では後部右端寄り部位）に、制御基板１１がビス等にて固定配置されている。また、この制御基板１１とパーソナルコンピュータ等の外部装置（図示せず）とを接続するケーブル７５のためのコネクタ７６の支持部（基部）が前記底カバー１０の後端から立ち上がった上向き片１０ａと前記メイン下ケース１ａの下連設片部１ｃとにビス７７にて共締めされている（図６（ａ）、図６（ｂ）及び図８参照）。
【００１３】
図７に示すように、前記メイン下ケース１ａの窓孔５９より左側の収納空間７８内において、底カバー１０の後端寄り部位の左側にビス７９を介して電気的に接続されて立設し、且つ上端が上面壁１ｅにビス８０にて磁界遮蔽のための仕切り板兼用の金属板製の支持板１４ａが固定されている。そして、前記支持板１４ａの片面に固定されるＮＣＵ基板１４の部品側がメイン下ケース１ａの後面壁１ｃと対面するように縦状に配置される。ＮＣＵ基板１４の近傍の底カバー１０上面側に低圧電源基板１２がビス等により固定配置されている。従って、低圧電源基板１２側から発生した熱は前記支持板１４ａに遮られ、直接ＮＣＵ基板１４の部品面に当たらないようになっている。
【００１４】
また、前記メイン下ケース１ａの後面壁１ｃ及び上面壁１ｅに多数穿設された通気孔５０ａ，５０ｂを通る空気により、前記低圧電源基板１２からの放熱を効率良く機外に排出できると共に、ＮＣＵ基板１４の部品面を効率良く冷却することができる。さらに、前記金属板製の底カバー１０に対して金属板製の支持板１４ａを介してＮＣＵ基板１４のグラウンド部が電気的に接続されているから、グラウンド（接地）することと、ＮＣＵ基板１４を強固に取付けることとを同時に達成することができるのである。
【００１５】
なお、窓孔５９の左端側の内側に立設した仕切り板８１のため、窓孔５９から収納空間７８内に作業者が手を入れるとき、不用意にＮＣＵ基板１４と低圧電源基板１２と接触しないように構成されている。ＮＣＵ基板１４に設けたモジュラーコネクタ８２は、メイン下ケース１ａの側面に露出させ、電話回線用のモジュラージャック（図示せず）が接続されるようになっている。
【００１６】
この構成において、前記増設ＲＡＭボード６０やＬＡＮボード６１等のオプショナルボードを増設するときには、前記窓孔５９を塞いでいるサブカバー６２を取り外し（図６（ｂ）参照）、収納空間７８内に入れる。大きい形状のＬＡＮボード６１を取付けするためには、上向き片１０ａ等に予めビス止めされて前記窓孔５９の下縁近傍を塞いだ金属板製のコネクタ部用予備カバー８４を除去した後、ＬＡＮボード６１の下面に突出する雄コネクタ８３ａを制御基板１１の上面に突設した雌コネクタ８３ｂに差し込み固定する一方、ＬＡＮボード６１の後面に突設したコネクタ８５の基部は、前述と同様にして前記底カバー１０の後端から立ち上がった上向き片１０ａと前記メイン下ケース１ａの下連設片部１ｃとにビス（図示せず）にて共締めするのである（図２及び図８参照）。これにより、金属板製の底カバー１０に対してＬＡＮボード６１のグラウンド部が電気的に接続されてグラウンド（接地）することと、ＬＡＮボード６１を強固に取付けることとを同時に達成することができるのである。
【００１７】
小さい形状の増設ＲＡＭボード６０は、図４に示すように、前記制御基板１１の上面に突設したコネクタ８６を介して取付ければ良いのである。
次に、記録ユニット等の構成について説明する。給紙ユニット５のフィダー部ケース５ａ内に積層された状態でセットされた用紙Ｐの先端側は、フィダー部ケース５ａ内の付勢ばね１５ａ付き支持板１５にて給紙ローラ１６に向かって押圧され、上記駆動系ユニット９から動力伝達されて回転する給紙ローラ１６と分離パッド１７とによって１枚ずつ分離される。分離された用紙Ｐは、上下一対のレジストローラ１８，１９にてプロセスユニット３の上部側に給送され、このプロセスユニット３で表面にトナーにより画像を形成された用紙Ｐは、定着ユニット４の加熱ローラ２１と押圧ローラ２２とにて画像を固定された後、排紙口２０から外に排出され、図示しない排紙トレイの上に排出される。
【００１８】
上面開放箱体状のメイン下ケース１ａの平面視ほぼ中央部に配置するプロセスユニット３の下方の部位には、スキャナユニット２が前記メイン下ケース１ａの底板部の上面側に一体的に形成したステー部にビス等にて固定される。露光ユニットとしてのスキャナユニット２には、図２に示すように、合成樹脂製の上支持板２ａの下面側に、レーザ発光部、ポリゴンミラー２３、レンズ２４、反射鏡２５等を配置し、前記上支持板２ａに感光体ドラム２６の軸線に沿って延びるように穿設された横長スキャナ孔を覆う硝子板を通過してプロセスユニット３における感光体ドラム２６の外周面にレーザービームを照射して露光するように構成されている。
【００１９】
前記プロセスユニット３は、前記感光体ドラム２６とその上面に当接して回転する転写ローラ２７、感光体ドラム２６の下方に配置したスコロトロン型等の帯電器２８、給紙方向において感光体ドラム２６よりも上流側に配置した現像ローラ２９及び供給ローラ３０を有する現像装置、さらにその上流側に配置した現像剤（トナー）供給部すなわち着脱可能なトナーカートリッジ３１、また感光体ドラム２６よりも下流側に配置したクリーニング装置３２等から成っている。感光体ドラム２６の外周面は、帯電器２８にて形成された帯電層に前記スキャナユニット２からレーザービームを走査することによって静電潜像が形成される。前記トナーカートリッジ３１内の現像剤（トナー）は、攪拌体（図示せず）にて攪拌されて放出されたのち、供給ローラ３０を介して現像ローラ２９の外周面に担持され、ブレードによってトナー層厚さが規制される。感光体ドラム２６の静電潜像は、現像ローラ２９から現像剤が付着することによって顕像化され、転写ローラ２７と感光体ドラム２６の間を通る用紙Ｐに転写される。そして感光体ドラム２６上に残った現像剤はクリーニング装置３２で回収される。
【００２０】
このプロセスユニット３は、合成樹脂製のケースに組み込むことにてカートリッジ化されており、このカートリッジ化したプロセスユニット３は、前記メイン下ケース１ａに着脱可能に装着される。
前記上ケース１ｂ上に配置される原稿読取ユニット６は、図１及び図２に示すように、ユニットケース４２内に配置される横長の密着型イメージセンサ（ＣＩＳ）３４と、原稿送り台７の近傍に配置される原稿分離送りローラ３５と、前記密着型イメージセンサ３４を挟んで搬送上流側及び下流側にそれぞれ配置される搬送ローラ対３６，３７と、前記各ローラ３５，３６，３７を駆動するための駆動モータと歯車列とがフレーム内に収納された駆動モータユニットとが備えられ、前記原稿分離送りローラ３５を介して１枚ずつ送られる原稿（図示せず）は下面が白色の下向き凸湾曲状に配置された押圧板３８とＣＩＳ３４の上面との間を通過するとき、原稿の画像が読み取られるように構成されている。
【００２１】
また、メイン下ケース１ａにおける前側右部位には、ケースの外側へ空気を吹出す冷却用フアン４３を収納するための収納部４４と、用紙Ｐの通過方向と直交する方向に延びる通風ダクト４５とが連通して形成される。この場合、図２に示すように、通風ダクト４５の上面板部４５ａを断面下向きの略Ｖ字状に形成し、この上面板部４５ａがメイン下ケース１ａの上面側に配置するプロセスユニット３と定着ユニット４との間に位置して定着ユニット４おける加熱ローラ２１の熱がプロセスユニット３側に伝達されないようになっている。なお、断面下向き略Ｖ字状の上面板部４５ａの下端間を合成樹脂板製等の仕切り板４６にて連設し、これらの部材で囲まれた部位が通風ダクト４３となるように構成されている。
【００２２】
また、図５、図６（ａ）、図６（ｂ）及び図７に示すように、メイン下ケース１ａの後面壁１ｃ（前記ＮＣＵ基板１４と対面する箇所）及び上面壁１ｅと、サブカバー６２とにはそれぞれ多数個の通気孔５０ａ，５０ｂが穿設され、同様に、前記冷却用フアン４３が配置されるメイン下ケース１ａの右側面に吹出孔５２が多数個穿設されている一方、底カバー１０の後部左寄り部位と前部左寄り部位とにも空気吸い込み孔５３ａ，５３ｂが多数個穿設されている。
【００２３】
また、図２、図５及び図８に示すように、メイン下ケース１ａの内側には、給紙ユニット５の載置部の下方に通気孔５４と、プロセスユニット３の後面と対峙する箇所に通気孔５５ａ、５５ｂと、前記上面板部４５ａの箇所に通気孔５６と、前記冷却用フアン４３の収納部４４を仕切る壁面等に通気孔５７とがそれぞれ穿設されている。
【００２４】
そして、他の電話装置との会話を行うための送受話器（ハンドセット）６４は、メイン下ケース１ａの左側面から外向きに突設した受け台６５上に載置され、発呼用のスピーカ６６は、メイン下ケース１ａ内の右側面の後部側に固定されている。
図９は、本発明が適用されたファクシミリ装置１の制御系統を示すブロック図である。ファクシミリ装置１は、操作パネル８を介して入力される使用者からの各種指令に応じて、各種処理動作の設定、原稿読取ユニット６による原稿画像の読み取り、原稿画像の送信データ化、送信データの符号化、ファクシミリデータの送受信、受信データの復号化、復号化したファクシミリデータの記録ユニットでの用紙Ｐへの記録を実行する他、原稿読取ユニット６のＣＩＳ（密着型イメージセンサ）３４による原稿読取りと記録ユニットによる用紙Ｐへの画像形成というコピー（複写）処理機能、図示しないパーソナルコンピュータ等の外部装置からのデータ伝送に基づき、その伝送されたデータを用紙Ｐに印字するプリンタ処理機能、前記原稿読取ユニット６を使って読み取った画像データを前記外部装置へ送信するというスキャナ処理機能をも備えている。
【００２５】
これらの動作を行うために、ファクシミリ装置１は、操作パネル８、原稿読取ユニット６、レーザ光のスキャナユニット２、プロセスユニット３、定着ユニット４等からなる記録ユニット、制御基板１１に搭載されて、各種制御・演算を実行するＣＰＵ６７、制御プログラムを記憶したＲＯＭ６８、一部が受信バッファメモリ６９ａとして用いられているＲＡＭ６９、ＮＣＵ基板１４、該ＮＣＵ基板１４を介して他のファクシミリ装置との間でファクシミリデータを送受信するためのモデム７０、他の電話装置との会話を行うための送受話器（ハンドセット）６４、発呼用のスピーカ６６、前記記録ユニットの各駆動部に動力を付与するためのステッピングモータを備えた駆動系ユニット９、前記制御基板１１等に低圧の電力を供給するための低圧電源基板１２、前記プロセスユニット３の帯電器２８に高圧電力を供給するための高圧電源基板１３、冷却空気を機外に排出するための冷却用フアン４３、およびこれらを接続するバスライン７１等を備えている。
【００２６】
なお、使用者の要望にて付加できる前述したメモリ量を増加するための増設ＲＡＭボード６０、及び複数のコンピュータ等の外部装置とデータを伝送するようにネットワークを構築するためのＬＡＮボード６１も図９に示すごとく接続できる。
上述の構成において、電源を投入すると、前記各基板１１，１２、１３、１４に電力が供給され、各種制御実行可能となる一方、冷却用フアン４３が回転駆動する。すると、メイン下ケース１ａの後端面等の通気孔５０ａ，５０ｂから吸い込まれた冷却空気は、ＮＣＵ基板１４、制御基板１１、低圧電源基板１２の表面箇所を通過し、次いで、スキャナユニット２の下面側と底カバー１０との間を通ってメイン下ケース１ａの前方に至る一方、給紙ユニット５の載置部の下方の通気孔５４や、プロセスユニット３の後面と対峙する箇所の通気孔５５ａ、５５ｂを介してプロセスユニット３の上面と上ケース１ｂとの間を通過した冷却空気は、前記上面板部４５ａの箇所の通気孔５６や通気孔５７を介して収納部４４に集まり、冷却用フアン４３にて本体ケースの外に放出されるのである。これにより、定着ユニット４の加熱ローラ２１の熱がプロセスユニット３に悪影響を及ぼすことがない。
【００２７】
本発明が適用されるファクシミリ装置の記録部は、前記レーザ光による静電写真式画像形成によるものばかりでなく、インクジェット式プリンタ、サーマルヘッドによるプリンタであっても良い。
【００２８】
【発明の効果】
以上に説明したように、請求項１に記載した発明のファクシミリ装置は、原稿読取部と、記録部と、記録部に用紙を供給する給紙部と、電話回線のためのＮＣＵ基板とを備えてなるファクシミリ装置であって、その本体ケース内にて底カバー上に電源基板を寝かせて配置する一方、本体ケースの縦方向の壁面に穿設された通気孔に部品面を対面させて立設すべきＮＣＵ基板を、電源基板からの放熱を遮断するように配置した金属製の支持板に取付けたものである。
【００２９】
従って、底カバー上面側に配置された電源基板からの熱が金属製の支持板に遮断されて、ＮＣＵ基板の部品の箇所に放射熱が直接当たらないし、ＮＣＵ基板の部品面が本体ケースの縦方向の壁面に穿設された通気孔を介して通過する冷却空気に触れて冷却効果が向上する。しかして、ＮＣＵ基板に使用する部品は耐熱性の高い高価なものでなくても良く、製造コストを低減できるという効果を奏するのである。
【００３０】
また、請求項１に記載の発明のファクシミリ装置は、前記ＮＣＵ基板が前記支持板を介して接地されているものであるから、ラウンド（接地）することと、ＮＣＵ基板を強固に取付けることとを同時に達成することができるという効果を奏するのである。
【００３１】
そして、請求項２に記載の発明のファクシミリ装置は、請求項１に記載のファクシミリ装置において、本体ケースの後面の一部に窓孔を穿設し、該窓孔をサブカバーにて開閉可能に構成する一方、前記底カバーの上面には、前記窓孔に近い部位に制御基板を固定し、前記窓孔の側方の本体ケースの後面とほぼ平行状に前記ＮＣＵ基板を前記支持板を介して立設させたものである。
【００３２】
前記サブカバーを外して、窓孔の部分から増設すべき電子部品を装着する等、作業者の手が内部に入るので、この場合に、前記窓孔の側方の本体ケースの後面とほぼ平行状に前記ＮＣＵ基板を前記支持板を介して立設させてあれば、当該ＮＣＵ基板には作業者の手が不用意に触れ難くなり、故障の原因を無くし、安全性が高くなるという効果を奏する。
【図面の簡単な説明】
【図１】  ファクシミリ装置の主要部品の斜視図である。
【図２】  ファクシミリ装置の概略側断面図である。
【図３】  ファクシミリ装置の一部切欠き平面図である。
【図４】  メイン下ケースの下面を覆う底カバー及び制御基板等の配置を示す平面図である。
【図５】  メイン下ケースの平面図である。
【図６】  （ａ）はファクシミリ装置の後部の斜視図、（ｂ）はカバー体を外した状態のファクシミリ装置の後部の斜視図である。
【図７】  図６（ｂ）のVII −VII 線矢視断面図である。
【図８】  図６（ｂ）の VIII −VIII線矢視断面図である。
【図９】  制御手段のブロック図である。
【符号の説明】
Ｐ        用紙
１        ファクシミリ装置
１ａ      メイン下ケース
１ｂ      上ケース
１ｃ      後面壁
１ｅ      上面壁
１０        底カバー
１１        制御基板
１２        低圧電源基板
１４        ＮＣＵ基板
１４ａ      支持板
５０ａ，５０ｂ      通気孔
５９        窓孔
６０        ＲＡＭボード
６１        ＬＡＮボード
６２        サブカバー
７８        収納空間
８２        モジュラーコネクタ
【図１】
0003947886.tif 000002
【図２】
0003947886.tif 000003
【図３】
0003947886.tif 000004
【図４】
0003947886.tif 000005
【図５】
0003947886.tif 000006
【図６】
0003947886.tif 000007
【図７】
0003947886.tif 000008
【図８】
0003947886.tif 000009
【図９】
0003947886.tif 000010